(57)【要約】【課題】計量精度を向上することができる電子天秤用風防装置を提供する。【解決手段】試料保持部材１１の底面１１２に開口部１１３を形成するとともに、試料挿入口１１４を風防蓋１２で開閉可能な構成とする。試料保持部材１１を電子天秤２にセットする際には、試料保持部材１１の底面１１２に形成されている開口部１１３を介して試料保持部材１１内に秤量皿２２を入り込ませるだけで、当該試料保持部材１１内の試料を秤量皿２２上に容易に載置することができる。このとき、試料保持部材１１を電子天秤２にセットするだけで、風防蓋１２を用いて試料の周囲を覆うことが可能になるため、当該風防蓋１２により対流が計量精度に与える影響を抑制し、計量精度を向上することができる。【選択図】  図２Ｃ
2017058208.tif 000002
【特許請求の範囲】
【請求項１】
電子天秤の秤量皿上に載置される試料を風防するための電子天秤用風防装置であって、
底面に開口部を有し、試料挿入口から挿入された試料を前記開口部に対向するように内部で保持することができる試料保持部材と、
前記試料挿入口を開閉可能な風防蓋とを備え、
前記試料保持部材を前記電子天秤にセットする際に、前記秤量皿が前記開口部を介して前記試料保持部材内に入り込むことにより、当該試料保持部材内の試料が前記秤量皿上に載置されることを特徴とする電子天秤用風防装置。
【請求項２】
前記電子天秤における前記秤量皿の周囲に設けられ、前記試料保持部材を前記電子天秤にセットする際に、前記試料保持部材をガイドするガイド部材をさらに備えたことを特徴とする請求項１に記載の電子天秤用風防装置。
【請求項３】
前記ガイド部材は、前記秤量皿の周囲を覆う周壁面を有しており、
前記試料保持部材が前記電子天秤にセットされた状態で、前記試料保持部材が前記周壁面の内側に収容されるとともに、前記風防蓋が前記周壁面により支持されることを特徴とする請求項２に記載の電子天秤用風防装置。
【請求項４】
前記試料保持部材は、その外周面が壁面により形成された容器状に構成されていることを特徴とする請求項１〜３のいずれかに記載の電子天秤用風防装置。
【請求項５】
前記試料保持部材には、当該試料保持部材を前記電子天秤にセットする際に作業者が把持するためのハンドル部が形成されており、
前記ハンドル部により前記風防蓋が位置決めされることを特徴とする請求項１〜４のいずれかに記載の電子天秤用風防装置。
【発明の詳細な説明】
【技術分野】
【０００１】
本発明は、電子天秤の秤量皿上に載置される試料を風防するための電子天秤用風防装置に関するものである。
【背景技術】
【０００２】
電子天秤においては、試料を秤量皿上に直接載置し、又は、試料を保持するトレーを秤量皿上に載置することにより、試料の計量を行うことができる。電子天秤の中には、外部の気流が計量精度に与える影響を抑制するために、秤量皿の周囲を風防ケースで覆うことができるような構成を有するものがある（例えば、下記特許文献１参照）。
【０００３】
図３は、従来の電子天秤１００の構成例を示した概略側面図である。この電子天秤１００には、例えば秤量皿１０１を支持する本体ケース１０２と、本体ケース１０２の背面側に立設された背面ケース１０３と、秤量皿１０１の周囲を覆う風防ケース１０４とが備えられている。
【０００４】
本体ケース１０２内及び背面ケース１０３内には、それぞれ各種電気部品が収容されている。例えば、本体ケース１０２内には、試料を計量するための計量部や、計量値を表示するための表示部などが収容されている。また、背面ケース１０３内には、基板などが収容されている。
【０００５】
風防ケース１０４は、本体ケース１０２の上方に設けられており、秤量皿１０１上に試料を載置することができるように開閉可能な構成となっている。風防ケース１０４を閉じた状態では、当該風防ケース１０４と背面ケース１０３とで秤量皿１０１の周囲が覆われることにより、外部の気流が遮断される。
【先行技術文献】
【特許文献】
【０００６】
【特許文献１】特開２０１１−２５７３０５号公報
【発明の概要】
【発明が解決しようとする課題】
【０００７】
しかしながら、上記のような風防ケース１０４を備えた構成であっても、風防ケース１０４内で生じる対流の影響により、計量精度が低下するおそれがある。このような対流は、試料自体の温度や、本体ケース１０２内又は背面ケース１０３内の電気部品の温度が、風防ケース１０４内の温度と異なることなどに起因している。
【０００８】
そのため、試料自体から生じる対流の他にも、本体ケース１０２や背面ケース１０３の隙間から風防ケース１０４内に向かって対流Ｆ１０１，Ｆ１０２が発生したり、風防ケース１０４の周縁部の隙間に向かって風防ケース１０４内に対流Ｆ１０３が発生したりする場合がある。このような場合には、試料又は試料を保持するトレーが対流に晒され、秤量皿１０１に対する荷重が変動することにより、計量精度が低下するおそれがある。
【０００９】
特に、最小表示が０．１ｍｇ以下の高精度の電子天秤を用いる場合や、試料又は試料を保持するトレーが秤量皿１０１よりも大きい場合などには、上記のような問題が生じやすい。そこで、風防ケース１０４内に秤量皿１０１の周囲を覆う別の風防壁（内風防）を設けたり、試料の温度が風防ケース１０４内の温度に近づくまで待ってから計量を開始したりすることが考えられる。
【００１０】
風防ケース１０４内に別の風防壁を設ける場合、その容積を可能な限り小さくすれば、試料の温度が風防壁内の温度に近づくまでの時間を短縮することができるため、対流が計量精度に与える影響を抑制することができる。しかし、風防壁の容積が小さすぎる場合には、その内側に設けられている秤量皿上に試料を載置する際、作業を行いにくくなるという問題がある。
【００１１】
また、試料の温度が風防ケース１０４内の温度に近づくまで待ってから計量を開始する場合には、作業効率が悪くなるため、現実的に困難な場合が多い。そのため、温度が不安定な状態のまま計量を開始せざるを得ず、その結果、計量精度を十分に向上することができないという問題がある。
【００１２】
本発明は、上記実情に鑑みてなされたものであり、計量精度を向上することができる電子天秤用風防装置を提供することを目的とする。また、本発明は、計量作業を効率化することができる電子天秤用風防装置を提供することを目的とする。
【課題を解決するための手段】
【００１３】
本発明に係る電子天秤用風防装置は、電子天秤の秤量皿上に載置される試料を風防するための電子天秤用風防装置であって、底面に開口部を有し、試料挿入口から挿入された試料を前記開口部に対向するように内部で保持することができる試料保持部材と、前記試料挿入口を開閉可能な風防蓋とを備え、前記試料保持部材を前記電子天秤にセットする際に、前記秤量皿が前記開口部を介して前記試料保持部材内に入り込むことにより、当該試料保持部材内の試料が前記秤量皿上に載置されることを特徴とする。
【００１４】
このような構成によれば、電子天秤の外部において、電子天秤用風防装置の試料保持部材内に試料を予め保持し、当該試料保持部材の試料挿入口を風防蓋で閉じることにより、計量の準備を行うことができる。その後、試料保持部材を電子天秤にセットする際には、試料保持部材の底面に形成されている開口部を介して試料保持部材内に秤量皿を入り込ませるだけで、当該試料保持部材内の試料を秤量皿上に容易に載置することができる。
【００１５】
このとき、試料保持部材を電子天秤にセットするだけで、風防蓋を用いて試料の周囲を覆うことが可能になるため、当該風防蓋により対流が計量精度に与える影響を抑制し、計量精度を向上することができる。
【００１６】
また、電子天秤の外部において試料保持部材の試料挿入口を風防蓋で予め閉じておけば、当該試料保持部材を電子天秤にセットするだけで、電子天秤内に風防蓋を設置することができる。したがって、試料を秤量皿上に載置した後で電子天秤内に風防蓋を設置するような構成と比較して、計量作業を効率化することができる。
【００１７】
前記電子天秤用風防装置は、前記電子天秤における前記秤量皿の周囲に設けられ、前記試料保持部材を前記電子天秤にセットする際に、前記試料保持部材をガイドするガイド部材をさらに備えていてもよい。
【００１８】
このような構成によれば、試料保持部材を電子天秤にセットする際に、ガイド部材で試料保持部材をガイドすることができるため、試料保持部材内の試料を秤量皿上に円滑に載置することができる。特に、試料保持部材の底面に形成されている開口部を介して試料保持部材内に秤量皿を入り込ませる作業は、試料保持部材を下方から見ながら行わなければ難しい作業であるが、ガイド部材で試料保持部材をガイドすることにより、容易に作業を行うことができるため、計量作業を効率化することができる。
【００１９】
前記ガイド部材は、前記秤量皿の周囲を覆う周壁面を有していてもよい。この場合、前記試料保持部材が前記電子天秤にセットされた状態で、前記試料保持部材が前記周壁面の内側に収容されるとともに、前記風防蓋が前記周壁面により支持されてもよい。
【００２０】
このような構成によれば、試料保持部材の試料挿入口を風防蓋で閉じた状態で、当該試料保持部材を電子天秤にセットするだけで、秤量皿の周囲を覆うガイド部材の周壁面上に風防蓋を支持することができる。これにより、ガイド部材の周壁面と風防蓋とで試料の周囲を完全に覆うことができるため、対流が計量精度に与える影響を効果的に抑制し、計量精度をより向上することができる。
【００２１】
前記試料保持部材は、その外周面が壁面により形成された容器状に構成されていてもよい。
【００２２】
このような構成によれば、外周面が壁面により形成された容器状の試料保持部材内に試料を予め保持し、当該試料保持部材の試料挿入口を風防蓋で閉じることにより、計量の準備を行うことができる。この状態では、既に試料保持部材と風防蓋とで試料の周囲が完全に覆われているため、試料保持部材を電子天秤にセットする前から、試料の温度を試料保持部材内の温度に近づけることができる。これにより、試料の温度を効率よく周囲の温度に近づけて計量を行うことができるため、計量作業を効率化することができる。
【００２３】
前記試料保持部材には、当該試料保持部材を前記電子天秤にセットする際に作業者が把持するためのハンドル部が形成されていてもよい。この場合、前記ハンドル部により前記風防蓋が位置決めされてもよい。
【００２４】
このような構成によれば、作業者は、ハンドル部を把持することにより、試料保持部材を電子天秤に容易にセットすることができる。このとき、ハンドル部により風防蓋を位置決めすることができるため、試料保持部材の試料挿入口を風防蓋で閉じる作業も容易になり、計量作業をさらに効率化することができる。
【発明の効果】
【００２５】
本発明によれば、対流が計量精度に与える影響を風防蓋により抑制することができるため、計量精度を向上することができる。また、本発明によれば、試料保持部材を電子天秤にセットするだけで電子天秤内に風防蓋を設置することができるため、計量作業を効率化することができる。
【図面の簡単な説明】
【００２６】
【図１】本発明の一実施形態に係る電子天秤用風防装置を電子天秤に適用した場合の一例を示す分解斜視図である。
【図２Ａ】試料保持部材を電子天秤にセットする際の流れを示す概略断面図であり、風防蓋を試料保持部材に取り付ける前の状態を示している。
【図２Ｂ】試料保持部材を電子天秤にセットする際の流れを示す概略断面図であり、風防蓋を試料保持部材に取り付けた状態を示している。
【図２Ｃ】試料保持部材を電子天秤にセットする際の流れを示す概略断面図であり、試料保持部材を電子天秤にセットした状態を示している。
【図３】従来の電子天秤の構成例を示した概略側面図である。
【発明を実施するための形態】
【００２７】
図１は、本発明の一実施形態に係る電子天秤用風防装置１を電子天秤２に適用した場合の一例を示す分解斜視図である。本実施形態に係る電子天秤用風防装置１（以下、単に「風防装置１」という。）は、試料保持部材１１、風防蓋１２及びガイド部材１３を備えている。
【００２８】
電子天秤２には、本体ケース２１と、当該本体ケース２１上に支持された秤量皿２２とが備えられている。本体ケース２１内には、例えば試料を計量するための計量部や、計量値を表示するための表示部などの各種電気部品（図示せず）が収容されている。この例では、秤量皿２２が平面視で円形状に形成されているが、このような構成に限らず、例えば四角形状などの他の形状であってもよい。
【００２９】
本体ケース２１上には、背面ケース及び風防ケースが備えられているが、図１ではそれらを省略して示している。背面ケースは、本体ケース２１の背面側（図１における右奥側）に立設され、例えば基板などが内部に収容されている。風防ケースは、本体ケース２１の上方に設けられ、背面ケースとともに秤量皿２２の周囲を覆うことにより、外部の気流を遮断することができる。風防ケースは、秤量皿２２上に試料を載置することができるように開閉可能な構成となっている。
【００３０】
本実施形態に係る風防装置１では、試料保持部材１１及び風防蓋１２が電子天秤２の外部（風防ケースの外部）で一体的に組み合わせられ、その内部に試料がトレー３上に載置された状態で収容される。ガイド部材１３は、電子天秤２の本体ケース２１上に予め取り付けられ、このガイド部材１３でガイドするようにして試料保持部材１１を電子天秤２にセットすることができる。
【００３１】
図２Ａ〜図２Ｃは、試料保持部材１１を電子天秤２にセットする際の流れを示す概略断面図であり、図２Ａは風防蓋１２を試料保持部材１１に取り付ける前の状態、図２Ｂは風防蓋１２を試料保持部材１１に取り付けた状態、図２Ｃは試料保持部材１１を電子天秤２にセットした状態をそれぞれ示している。以下では、図１及び図２Ａ〜図２Ｃを参照しながら、風防装置１の具体的構成及び作業の流れについて詳細に説明する。
【００３２】
まず、試料保持部材１１は、その外周面が逆円錐台形状の壁面１１１により形成されるとともに、当該壁面１１１の下端に底面１１２が形成された容器状に構成されている。試料保持部材１１の底面１１２には、開口部１１３が形成されている。この開口部１１３は、秤量皿２２に対応する形状となっており、この例では、秤量皿２２の平面形状よりも若干大きい円形状に形成されている。
【００３３】
試料保持部材１１の上面は開放されており、その上端縁が試料挿入口１１４を構成している。試料は、トレー３上に載置された状態で試料挿入口１１４から試料保持部材１１内に挿入される。トレー３は、例えば平面視で円形状に形成されており、開口部１１３よりも大きく、かつ、試料保持部材１１の底面１１２よりも小さい形状となっている。
【００３４】
これにより、図２Ａに示すように、試料保持部材１１内に挿入されたトレー３は、開口部１１３を完全に覆った状態で底面１１２上に保持される。このとき、トレー３上の試料は、開口部１１３に対向するように試料保持部材１１の内部で保持された状態となる。
【００３５】
試料保持部材１１には、作業者が把持するためのハンドル部１１５が形成されている。この例では、１対のハンドル部１１５が、それぞれ試料保持部材１１の上端から外側（径方向）に向かって突出するように形成されている。電子天秤２の秤量皿２２上に試料を載置して計量する際、作業者は、試料保持部材１１のハンドル部１１５を把持し、当該試料保持部材１１を電子天秤２にセットすることができる。
【００３６】
風防蓋１２は、図２Ａ及び図２Ｂに示すように、試料保持部材１１の上面に対して着脱されることにより、試料挿入口１１４を開閉可能となっている。風防蓋１２は、試料挿入口１１４よりも大きい外形を有しており、試料保持部材１１に取り付けた状態では、試料挿入口１１４を覆うことができるとともに、その周縁部の少なくとも一部が試料保持部材１１の壁面１１１よりも外側に張り出した状態となる（図２Ｂ参照）。
【００３７】
風防蓋１２の周縁部には、１対のハンドル部１１５に対応する位置に、それぞれ凹部１２１が形成されている。風防蓋１２を試料保持部材１１に取り付ける際には、図２Ｂに示すように、試料保持部材１１の各ハンドル部１１５が風防蓋１２の凹部１２１内に入り込むように取り付けられる。このとき、各ハンドル部１１５により風防蓋１２が位置決めされ、試料保持部材１１に対して風防蓋１２がずれるのを防止することができる。
【００３８】
この例では、風防蓋１２の上面に、当該風防蓋１２を試料保持部材１１に対して着脱する際に作業者が摘まむための突起１２２が形成されている。ただし、当該突起１２２が省略され、例えば作業者が風防蓋１２の周縁部を直接把持することにより、試料保持部材１１に対して風防蓋１２を着脱することができるような構成であってもよい。
【００３９】
図２Ａ及び図２Ｂに示すように、本実施形態では、電子天秤２の外部（風防ケースの外部）において、風防装置１の試料保持部材１１内に試料を予め保持し、当該試料保持部材１１の試料挿入口１１４を風防蓋１２で閉じることにより、計量の準備を行うことができる。その後、電子天秤２の本体ケース２１上に取り付けられているガイド部材１３でガイドしながら、試料保持部材１１を電子天秤２に上方からセットすることができる。
【００４０】
ガイド部材１３は、秤量皿２２の周囲を覆う周壁面１３１を有している。この周壁面１３１は、例えば円筒形状に形成されており、その内径が試料保持部材１１の壁面１１１の外径よりも若干大きく形成されることにより、ガイド部材１３内に試料保持部材１１を収容することができるようになっている。また、周壁面１３１の内径は、風防蓋１２の外径よりも若干小さく形成されており、試料保持部材１１をガイド部材１３内に収容する際には、風防蓋１２の周縁部が周壁面１３１の上端に引っ掛かるようになっている。
【００４１】
これにより、試料保持部材１１を電子天秤２にセットする際には、試料保持部材１１が周壁面１３１の内側に収容されるとともに、試料保持部材１１に取り付けられている風防蓋１２が、周壁面１３１の上端に引っ掛かって押し上げられる。そして、図２Ｃに示すように試料保持部材１１が電子天秤２にセットされた状態では、風防蓋１２が周壁面１３１により支持された状態となる。
【００４２】
このとき、試料保持部材１１の各ハンドル部１１５は、周壁面１３１の上端に引っ掛かるようになっている。試料保持部材１１の壁面１１１の高さは、ガイド部材１３の周壁面１３１の高さよりも低く形成されており、各ハンドル部１１５が周壁面１３１の上端に引っ掛かった状態で試料保持部材１１が電子天秤２にセットされたときには、図２Ｃに示すように、試料保持部材１１がガイド部材１３内で浮いた状態となる。
【００４３】
この状態では、試料保持部材１１の各ハンドル部１１５と、風防蓋１２とが、面一で周壁面１３１上に支持された状態となり、周壁面１３１及び風防蓋１２により囲まれた空間内に試料が配置されるようになっている。ただし、試料保持部材１１は、ガイド部材１３内において浮いた状態で保持されるような構成に限らず、例えば壁面１１がガイド部材１３の周壁面１３１と同程度の高さで形成されることにより、底面１１２が電子天秤２の本体ケース２１上に接触するような構成であってもよい。
【００４４】
試料保持部材１１を電子天秤２にセットする際には、秤量皿２２が試料保持部材１１の開口部１１３を介して、下方から試料保持部材１１内に入り込む。これにより、図２Ｃに示すように、試料保持部材１１内のトレー３が秤量皿２２によって押し上げられ、秤量皿２２上に試料が載置される。すなわち、試料及びトレー３の重量のみが秤量皿２２に負荷され、試料保持部材１１及び風防蓋１２の重量は除荷されることとなる。
【００４５】
このように、本実施形態では、試料保持部材１１を電子天秤２にセットする際に、試料保持部材１１の底面１１２に形成されている開口部１１３を介して試料保持部材１１内に秤量皿２２を入り込ませるだけで、当該試料保持部材１１内の試料を秤量皿２２上に容易に載置することができる。
【００４６】
このとき、試料保持部材１１を電子天秤２にセットするだけで、風防蓋１２を用いて試料の周囲を覆うことが可能になるため、当該風防蓋１２により対流が計量精度に与える影響を抑制し、計量精度を向上することができる。
【００４７】
また、電子天秤２の外部において試料保持部材１１の試料挿入口１１４を風防蓋１２で予め閉じておけば、当該試料保持部材１１を電子天秤２にセットするだけで、電子天秤２内に風防蓋１２を設置することができる。したがって、試料を秤量皿２２上に載置した後で電子天秤２内に風防蓋１２を設置するような構成と比較して、計量作業を効率化することができる。
【００４８】
試料保持部材１１を電子天秤２にセットする際には、ガイド部材１３で試料保持部材１１をガイドすることができるため、試料保持部材１１内の試料を秤量皿２２上に円滑に載置することができる。特に、試料保持部材１１の底面１１２に形成されている開口部１１３を介して試料保持部材１１内に秤量皿２２を入り込ませる作業は、試料保持部材１１を下方から見ながら行わなければ難しい作業であるが、ガイド部材１３で試料保持部材１１をガイドすることにより、容易に作業を行うことができるため、計量作業を効率化することができる。
【００４９】
また、試料保持部材１１の試料挿入口１１４を風防蓋１２で閉じた状態で、当該試料保持部材１１を電子天秤２にセットするだけで、秤量皿２２の周囲を覆うガイド部材１３の周壁面１３１上に風防蓋１２を支持することができる。これにより、ガイド部材１３の周壁面１３１と風防蓋１２とで試料の周囲を完全に覆うことができるため、対流が計量精度に与える影響を効果的に抑制し、計量精度をより向上することができる。
【００５０】
本実施形態では、外周面が壁面１１１により形成された容器状の試料保持部材１１内に試料を予め保持し、当該試料保持部材１１の試料挿入口１１４を風防蓋１２で閉じることにより、計量の準備を行うことができる。この状態では、既に試料保持部材１１と風防蓋１２とで試料の周囲が完全に覆われているため、試料保持部材１１を電子天秤２にセットする前から、試料の温度を試料保持部材１１内の温度に近づけることができる。これにより、試料の温度を効率よく周囲の温度に近づけて計量を行うことができるため、計量作業を効率化することができる。
【００５１】
また、本実施形態において、作業者は、ハンドル部１１５を把持することにより、試料保持部材１１を電子天秤２に容易にセットすることができる。このとき、ハンドル部１１５により風防蓋１２を位置決めすることができるため、試料保持部材１１の試料挿入口１１４を風防蓋１２で閉じる作業も容易になり、計量作業をさらに効率化することができる。
【００５２】
ハンドル部１１５は、試料保持部材１１に１対設けられた構成に限らず、例えば１つだけ設けられた構成であってもよいし、３つ以上設けられた構成であってもよい。なお、ハンドル部１１５が２つ以上設けられた構成であれば、ハンドル部１１５により風防蓋１２を確実に位置決めすることができ、風防蓋１２が試料保持部材１１上でずれるのを防止することができる。ただし、試料保持部材１１にハンドル部１１５が設けられていない構成とすることも可能である。
【００５３】
以上の実施形態では、試料をトレー３により保持した状態で試料保持部材１１内に挿入するような構成について説明したが、試料を試料保持部材１１内に直接挿入して、開口部１１３に対向するように保持するような構成であってもよい。開口部１１３は、試料又はトレー３により完全に覆われるような構成に限らず、試料が開口部１１３に対向するように試料保持部材１１の内部で保持されるような構成であれば、如何なる態様で試料が保持されてもよい。
【００５４】
試料保持部材１１の開口部１１３の形状は、秤量皿２２の平面形状に応じて変更することができる。例えば、秤量皿２２が平面視で四角形状の場合には、開口部１１３も四角形状に形成され、秤量皿２２の平面形状よりも若干大きく形成されることが好ましい。これにより、開口部１１３を介して秤量皿２２を試料保持部材１１内に入り込ませることができるとともに、対流の影響を抑制する上で必要最低限の大きさの開口部１１３とすることができる。
【００５５】
試料挿入口１１４は、試料保持部材１１の上面全体に形成された構成に限らず、例えば試料保持部材１１の上面の一部又は他の位置に形成されていてもよい。風防蓋１２は、試料挿入口１１４を開閉可能な構成であれば、試料保持部材１１の上面に対して着脱可能な構成に限らず、試料保持部材１１の他の位置に着脱可能な構成であってもよい。また、風防蓋１２は、例えばスライド式又は回動式などのように、試料挿入口１１４を開閉可能な状態で試料保持部材１１に取り付けられた構成であってもよい。
【００５６】
試料保持部材１１の壁面１１１は、逆円錐台形状に限らず、円筒形状や四角筒形状などの他の形状であってもよい。この場合、ガイド部材１３の周壁面１３１も、円筒形状に限らず、試料保持部材１１を収容可能な四角筒形状などの他の形状であってもよい。また、ガイド部材１３は、試料保持部材１１をガイドすることができるような構成であれば、周壁面１３１で試料の周囲を完全に覆うことができるような構成に限られるものではない。
【００５７】
本実施形態のように、ガイド部材１３の周壁面１３１で試料の周囲を完全に覆うことができるような構成の場合、試料保持部材１１は、容器状に限らず、例えば壁面１１１がメッシュ状に形成された構成や、複数のリブにより形成された構成などであってもよい。一方、ガイド部材１３が、試料の周囲を完全に覆うことができるような周壁面１３１を有していない場合には、試料保持部材１１の壁面１１１が容器状に形成されることにより、試料の周囲を試料保持部材１１で覆うことができるような構成となっていることが好ましい。
【００５８】
ただし、ガイド部材１３は、省略することも可能である。この場合、試料保持部材１１が容器状に形成されることにより、試料保持部材１１と風防蓋１２とで試料の周囲を完全に覆うことができるような構成であることが好ましい。また、この場合、試料保持部材１１を電子天秤２にセットする際の位置を示す目印が電子天秤２の本体ケース２１上にあれば、試料保持部材１１の底面１１２に形成されている開口部１１３を介して、試料保持部材１１内に秤量皿２２を円滑に入り込ませることができるため、計量作業を効率化することができる。
【符号の説明】
【００５９】
１    電子天秤用風防装置
２    電子天秤
３    トレー
１１    試料保持部材
１２    風防蓋
１３    ガイド部材
２１    本体ケース
２２    秤量皿
１１１    壁面
１１２    底面
１１３    開口部
１１４    試料挿入口
１１５    ハンドル部
１２１    凹部
１２２    突起
１３１    周壁面
【図１】
2017058208.tif 000003
【図２Ａ】
2017058208.tif 000004
【図２Ｂ】
2017058208.tif 000005
【図２Ｃ】
2017058208.tif 000006
【図３】
2017058208.tif 000007